【手続補正書】
【提出日】平成15年12月10日(2003.12.10)
【手続補正１】
【補正対象書類名】明細書
【補正対象項目名】発明の名称
【補正方法】変更
【補正の内容】
【発明の名称】情報処理装置、表示方法、デバイス管理方法、及びプログラム


【手続補正２】
【補正対象書類名】明細書
【補正対象項目名】特許請求の範囲
【補正方法】変更
【補正の内容】
【特許請求の範囲】
【請求項１】
ネットワーク上のデバイスに関する情報を表示する情報処理装置であって、
登録されたデバイスに関する情報を管理する第１の管理手段と、
ネットワーク上で使用状態にある又は使用状態にあったデバイスに関する情報を管理する第２の管理手段と、
上記第２の管理手段により管理されているデバイスの一覧を表示する一覧表示手段と、
デバイスの一覧の中から選択されたデバイスを上記第１の管理手段に登録する登録手段と、
上記第１の管理手段により管理されているデバイスに関する情報を表示する表示手段とを有することを特徴とする情報処理装置。
【請求項２】
ネットワーク上のデバイスに関する情報を表示する表示方法であって、
登録されたデバイスに関する情報を管理する第１の管理部と、ネットワーク上で使用状態にある又は使用状態にあったデバイスに関する情報を管理する第２の管理部とを設け、
上記第２の管理部により管理されているデバイスの一覧を表示するステップと、
デバイスの一覧の中から選択されたデバイスを上記第１の管理部に登録するステップと、
上記第１の管理部により管理されているデバイスに関する情報を表示するステップとを有することを特徴とする表示方法。
【請求項３】
上記第１の管理部は、登録されたデバイスごとに、当該デバイスを識別するための情報と、当該デバイスを示す情報が表示される位置を示す情報とを管理することを特徴とする請求項２に記載の表示方法。
【請求項４】
登録されたデバイスが現在使用状態でない場合、使用状態でないことが識別されるように、当該デバイスに関する情報を表示することを特徴とする請求項２又は３に記載の表示方法。
【請求項５】
デバイスが使用状態であるとは、当該デバイスの電源が入っていることであることを特徴とする請求項２〜４のいずれか１項に記載の表示方法。
【請求項６】
ネットワーク上のデバイスに関する情報を表示するのを制御する情報処理のプログラムであって、
ネットワーク上で使用状態にある又は使用状態にあったデバイスに関する情報を管理する第２の管理部により管理されているデバイスの一覧を表示するステップと、
デバイスの一覧の中から選択されたデバイスを、登録されたデバイスに関する情報を管理する第１の管理部に登録するステップと、
上記第１の管理部により管理されているデバイスに関する情報を表示するステップとをコンピュータに実行させることを特徴とするプログラム。
【請求項７】
ネットワーク上のデバイスに関する情報を画面表示する情報処理装置であって、
上記ネットワーク上のデバイスの中から選択されたデバイスを登録デバイスとして管理する第１の管理手段と、
上記第１の管理手段で管理されたデバイスに関する情報を画面表示する表示手段と、
上記第１の管理手段へ任意のデバイスを登録する登録手段とを備え、
上記第１の管理手段は、上記登録手段により登録された任意のデバイスを管理することを特徴とする情報処理装置。
【請求項８】
ネットワーク上の複数のデバイスを管理するためのデバイス管理方法であって、
上記ネットワーク上の全デバイスの中から選択されたデバイスを登録デバイスとして管理する第１の管理ステップと、
上記第１の管理ステップにより管理されたデバイスに関する情報をマップ表示する表示ステップと、
上記第１の管理ステップによる管理情報に対して、上記ネットワーク上へ接続可能な任意のデバイスを登録する登録ステップとを含むことを特徴とするデバイス管理方法。
【請求項９】
上記第１の管理ステップは、対象デバイスを識別するための情報、及び上記ネットワーク上での対象デバイスの位置情報を管理するステップを含み、
上記表示ステップは、上記第１の管理ステップによる管理情報に基づいて、対象デバイスを示す情報を所定のマップ上の該当する位置に表示するステップを含むことを特徴とする請求項８に記載のデバイス管理方法。
【請求項１０】
上記ネットワーク上におけるデバイスを監視した結果に基づき、上記ネットワーク上に存在する及び／又は存在したデバイスに関する情報を履歴情報として管理する第２の管理ステップを含み、
上記登録ステップは、上記第２の管理ステップによる管理情報に基づいて、上記デバイスの登録を行なうステップを含むことを特徴とする請求項８に記載のデバイス管理方法。
【請求項１１】
上記第１の管理ステップは、対象デバイスが現在使用可能な状態であるか否かに関する情報を管理するステップを含み、
上記表示ステップは、上記第１の管理ステップによる管理情報に基づいて、上記デバイスに関する情報をマップ表示するステップを含むことを特徴とする請求項８に記載のデバイス管理方法。
【請求項１２】
上記表示ステップは、上記第１の管理ステップによる管理情報により、対象デバイスが現在使用不可である場合、対象デバイスに関する情報を表示する際に所定の情報を付加してマップ表示するステップを含むことを特徴とする請求項１１に記載のデバイス管理方法。
【請求項１３】
請求項７に記載の情報処理装置の機能をコンピュータに実現させるためのプログラム。
【請求項１４】
請求項８〜１２のいずれか１項に記載のデバイス管理方法の処理ステップをコンピュータに実行させるためのプログラム。
【手続補正３】
【補正対象書類名】明細書
【補正対象項目名】０００１
【補正方法】変更
【補正の内容】
【０００１】
【発明の属する技術分野】
本発明は、例えば、所定の通信媒体上に接続されたパーソナルコンピュータや各種周辺機器等の共有デバイスを管理するための装置或いはシステムに用いられる、情報処理装置、表示方法、デバイス管理方法、及びそれを実施するためのプログラムに関するものである。


【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】変更
【補正の内容】
【００１６】
第２の発明は、ネットワーク上のデバイスに関する情報を表示する表示方法であって、登録されたデバイスに関する情報を管理する第１の管理部と、ネットワーク上で使用状態にある又は使用状態にあったデバイスに関する情報を管理する第２の管理部とを設け、上記第２の管理部により管理されているデバイスの一覧を表示するステップと、デバイスの一覧の中から選択されたデバイスを上記第１の管理部に登録するステップと、上記第１の管理部により管理されているデバイスに関する情報を表示するステップとを有することを特徴とする。


【手続補正８】
【補正対象書類名】明細書
【補正対象項目名】００１７
【補正方法】変更
【補正の内容】
【００１７】
第３の発明は、上記第２の発明において、上記第１の管理部は、登録されたデバイスごとに、当該デバイスを識別するための情報と、当該デバイスを示す情報が表示される位置を示す情報とを管理することを特徴とする。


【手続補正９】
【補正対象書類名】明細書
【補正対象項目名】００１８
【補正方法】変更
【補正の内容】
【００１８】
第４の発明は、上記第２又は３の発明において、登録されたデバイスが現在使用状態でない場合、使用状態でないことが識別されるように、当該デバイスに関する情報を表示することを特徴とする。


【手続補正１０】
【補正対象書類名】明細書
【補正対象項目名】００１９
【補正方法】変更
【補正の内容】
【００１９】
第５の発明は、上記第２〜４のいずれかの発明において、デバイスが使用状態であるとは、当該デバイスの電源が入っていることであることを特徴とする。


【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
第６の発明は、ネットワーク上のデバイスに関する情報を表示するのを制御する情報処理のプログラムであって、ネットワーク上で使用状態にある又は使用状態にあったデバイスに関する情報を管理する第２の管理部により管理されているデバイスの一覧を表示するステップと、デバイスの一覧の中から選択されたデバイスを、登録されたデバイスに関する情報を管理する第１の管理部に登録するステップと、上記第１の管理部により管理されているデバイスに関する情報を表示するステップとをコンピュータに実行させることを特徴とする。


【手続補正１３】
【補正対象書類名】明細書
【補正対象項目名】００２２
【補正方法】変更
【補正の内容】
【００２２】
第７の発明は、ネットワーク上のデバイスに関する情報を画面表示する情報処理装置であって、上記ネットワーク上のデバイスの中から選択されたデバイスを登録デバイスとして管理する第１の管理手段と、上記第１の管理手段で管理されたデバイスに関する情報を画面表示する表示手段と、上記第１の管理手段へ任意のデバイスを登録する登録手段とを備え、上記第１の管理手段は、上記登録手段により登録された任意のデバイスを管理することを特徴とする。


【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】削除
【補正の内容】
【手続補正１６】
【補正対象書類名】明細書
【補正対象項目名】００２５
【補正方法】削除
【補正の内容】
【手続補正１７】
【補正対象書類名】明細書
【補正対象項目名】００２６
【補正方法】削除
【補正の内容】
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】変更
【補正の内容】
【００２８】
第８の発明は、ネットワーク上の複数のデバイスを管理するためのデバイス管理方法であって、上記ネットワーク上の全デバイスの中から選択されたデバイスを登録デバイスとして管理する第１の管理ステップと、上記第１の管理ステップにより管理されたデバイスに関する情報をマップ表示する表示ステップと、上記第１の管理ステップによる管理情報に対して、上記ネットワーク上へ接続可能な任意のデバイスを登録する登録ステップとを含むことを特徴とする。


【手続補正２０】
【補正対象書類名】明細書
【補正対象項目名】００２９
【補正方法】変更
【補正の内容】
【００２９】
第９の発明は、上記第８の発明において、上記第１の管理ステップは、対象デバイスを識別するための情報、及び上記ネットワーク上での対象デバイスの位置情報を管理するステップを含み、上記表示ステップは、上記第１の管理ステップによる管理情報に基づいて、対象デバイスを示す情報を所定のマップ上の該当する位置に表示するステップを含むことを特徴とする。


【手続補正２１】
【補正対象書類名】明細書
【補正対象項目名】００３０
【補正方法】変更
【補正の内容】
【００３０】
第１０の発明は、上記第８の発明において、上記ネットワーク上におけるデバイスを監視した結果に基づき、上記ネットワーク上に存在する及び／又は存在したデバイスに関する情報を履歴情報として管理する第２の管理ステップを含み、上記登録ステップは、上記第２の管理ステップによる管理情報に基づいて、上記デバイスの登録を行なうステップを含むことを特徴とする。


【手続補正２２】
【補正対象書類名】明細書
【補正対象項目名】００３１
【補正方法】変更
【補正の内容】
【００３１】
第１１の発明は、上記第８の発明において、上記第１の管理ステップは、対象デバイスが現在使用可能な状態であるか否かに関する情報を管理するステップを含み、上記表示ステップは、上記第１の管理ステップによる管理情報に基づいて、上記デバイスに関する情報をマップ表示するステップを含むことを特徴とする。


【手続補正２３】
【補正対象書類名】明細書
【補正対象項目名】００３２
【補正方法】変更
【補正の内容】
【００３２】
第１２の発明は、上記第１１の発明において、上記表示ステップは、上記第１の管理ステップによる管理情報により、対象デバイスが現在使用不可である場合、対象デバイスに関する情報を表示する際に所定の情報を付加してマップ表示するステップを含むことを特徴とする。


【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】変更
【補正の内容】
【００３５】
第１３の発明は、請求項７に記載の情報処理装置の機能をコンピュータに実現させるためのプログラムであることを特徴とする。


【手続補正２７】
【補正対象書類名】明細書
【補正対象項目名】００３６
【補正方法】変更
【補正の内容】
【００３６】
第１４の発明は、請求項８〜１２のいずれか１項に記載のデバイス管理方法の処理ステップをコンピュータに実行させるためのプログラムであることを特徴とする。